【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
陽極と、
陰極と、
前記陽極と前記陰極との間に位置するＥＬ層とを有する発光デバイスにおいて、
前記ＥＬ層は、陽極側から順に第１の層と、第２の層と、第３の層と、発光層と、第４の層を有し、
前記第１の層は、前記陽極に接しており、
前記第１の層は第１の有機化合物と第２の有機化合物を有し、
前記第２の層は、第３の有機化合物を有し、
前記第３の層は、第４の有機化合物を有し、
前記発光層は、第５の有機化合物と第６の有機化合物を有し、
前記第４の層は、第７の有機化合物を有し、
前記第１の有機化合物は前記第２の有機化合物に電子受容性を示す有機化合物であり、
前記第５の有機化合物は発光中心物質であり、
前記第２の有機化合物のＨＯＭＯ準位は−５．７ｅＶ以上−５．４ｅＶ以下であり、
前記第７の有機化合物は、電界強度［Ｖ／ｃｍ］の平方根が６００である場合における電子移動度が１×１０−７ｃｍ２／Ｖｓ以上５×１０−５ｃｍ２／Ｖｓ以下である発光デバイス。
【請求項２】
陽極と、
陰極と、
前記陽極と前記陰極との間に位置するＥＬ層とを有する発光デバイスにおいて、
前記ＥＬ層は、陽極側から順に第１の層と、第２の層と、第３の層と、発光層と、第４の層を有し、
前記第１の層は、前記陽極に接しており、
前記第４の層は、前記発光層に接しており、
前記第１の層は第１の有機化合物と第２の有機化合物を有し、
前記第２の層は、第３の有機化合物を有し、
前記第３の層は、第４の有機化合物を有し、
前記発光層は、第５の有機化合物と第６の有機化合物を有し、
前記第４の層は、第７の有機化合物を有し、
前記第１の有機化合物は前記第２の有機化合物に電子受容性を示す有機化合物であり、
前記第５の有機化合物は発光中心物質であり、
前記第２の有機化合物のＨＯＭＯ準位は−５．７ｅＶ以上−５．４ｅＶ以下であり、
前記第７の有機化合物は、電界強度［Ｖ／ｃｍ］の平方根が６００である場合における電子移動度が１×１０−７ｃｍ２／Ｖｓ以上５×１０−５ｃｍ２／Ｖｓ以下であり、
前記第７の有機化合物のＨＯＭＯ準位が−６．０ｅＶ以上である発光デバイス。
【請求項３】
陽極と、
陰極と、
前記陽極と前記陰極の間に位置するＥＬ層とを有し、
前記ＥＬ層は、陽極側から順に第１の層と、第２の層と、第３の層と、発光層と、第４の層を有し、
前記第１の層は、前記陽極に接しており、
前記第４の層は、前記発光層に接しており、
前記第１の層は、第１の有機化合物と第２の有機化合物を有し、
前記第２の層は、第３の有機化合物を有し、
前記第３の層は、第４の有機化合物を有し、
前記発光層は、第５の有機化合物と第６の有機化合物を有し、
前記第４の層は、第７の有機化合物を有し、
前記第１の有機化合物は前記第２の有機化合物に電子受容性を示す有機化合物であり、
前記第５の有機化合物は発光中心物質であり、
前記第２の有機化合物のＨＯＭＯ準位は−５．７ｅＶ以上−５．４ｅＶ以下であり、
前記第３の有機化合物と前記第２の有機化合物とのＨＯＭＯ準位の差は０．２ｅＶ以下であり、
前記第３の有機化合物のＨＯＭＯ準位は、前記第２の有機化合物のＨＯＭＯ準位と同じまたは深く、
前記第７の有機化合物は、電界強度［Ｖ／ｃｍ］の平方根が６００である場合における電子移動度が１×１０−７ｃｍ２／Ｖｓ以上５×１０−５ｃｍ２／Ｖｓ以下であり、
前記第７の有機化合物のＨＯＭＯ準位が−６．０ｅＶ以上である発光デバイス。
【請求項４】
陽極と、
陰極と、
前記陽極と前記陰極の間に位置するＥＬ層とを有し、
前記ＥＬ層は、陽極側から順に第１の層と、第２の層と、第３の層と、発光層と、第４の層を有し、
前記第１の層は、前記陽極に接しており、
前記第４の層は、前記発光層に接しており、
前記第１の層は、第１の有機化合物と第２の有機化合物を有し、
前記第２の層は、第３の有機化合物を有し、
前記第３の層は、第４の有機化合物を有し、
前記発光層は、第５の有機化合物と第６の有機化合物を有し、
前記第４の層は、第７の有機化合物を有し、
前記第１の有機化合物は前記第２の有機化合物に電子受容性を示す有機化合物であり、
前記第２の有機化合物は、第１の正孔輸送性骨格を有し、
前記第３の有機化合物は、第２の正孔輸送性骨格を有し、
前記第４の有機化合物は、第３の正孔輸送性骨格を有し、
前記第５の有機化合物は発光中心物質であり、
前記第２の有機化合物のＨＯＭＯ準位は−５．７ｅＶ以上−５．４ｅＶ以下であり、
前記第１の正孔輸送性骨格、前記第２の正孔輸送性骨格および前記第３の正孔輸送性骨格は、各々独立に、カルバゾール骨格、ジベンゾフラン骨格、ジベンゾチオフェン骨格およびアントラセン骨格のいずれか一であり、
前記第７の有機化合物は、電界強度［Ｖ／ｃｍ］の平方根が６００である場合における電子移動度が１×１０−７ｃｍ２／Ｖｓ以上５×１０−５ｃｍ２／Ｖｓ以下であり、
前記第７の有機化合物のＨＯＭＯ準位が−６．０ｅＶ以上である発光デバイス。
【請求項５】
請求項１乃至請求項４のいずれか一項において、
前記第４の層はさらに第８の物質を有し、前記第８の物質は、アルカリ金属またはアルカリ土類金属の有機錯体である発光デバイス。
【請求項６】
陽極と、
陰極と、
前記陽極と前記陰極との間に位置するＥＬ層とを有する発光デバイスにおいて、
前記ＥＬ層は、陽極側から順に第１の層と、第２の層と、第３の層と、発光層と、第４の層を有し、
前記第１の層は、前記陽極に接しており、
前記第４の層は、前記発光層に接しており、
前記第１の層は第１の有機化合物と第２の有機化合物を有し、
前記第２の層は、第３の有機化合物を有し、
前記第３の層は、第４の有機化合物を有し、
前記発光層は、第５の有機化合物と第６の有機化合物を有し、
前記第４の層は、第７の有機化合物と第８の物質を有し、
前記第１の有機化合物は前記第２の有機化合物に電子受容性を示す有機化合物であり、
前記第５の有機化合物は発光中心物質であり、
前記第２の有機化合物のＨＯＭＯ準位は−５．７ｅＶ以上−５．４ｅＶ以下であり、
前記第７の有機化合物は、アントラセン骨格を有する有機化合物であり、
前記第８の物質は、アルカリ金属またはアルカリ土類金属の有機錯体である発光デバイス。
【請求項７】
陽極と、
陰極と、
前記陽極と前記陰極の間に位置するＥＬ層とを有し、
前記ＥＬ層は、陽極側から順に第１の層と、第２の層と、第３の層と、発光層と、第４の層を有し、
前記第１の層は、前記陽極に接しており、
前記第４の層は、前記発光層に接しており、
前記第１の層は、第１の有機化合物と第２の有機化合物を有し、
前記第２の層は、第３の有機化合物を有し、
前記第３の層は、第４の有機化合物を有し、
前記発光層は、第５の有機化合物と第６の有機化合物を有し、
前記第４の層は、第７の有機化合物と第８の物質を有し、
前記第１の有機化合物は前記第２の有機化合物に電子受容性を示す有機化合物であり、
前記第５の有機化合物は発光中心物質であり、
前記第２の有機化合物のＨＯＭＯ準位は−５．７ｅＶ以上−５．４ｅＶ以下であり、
前記第３の有機化合物と前記第２の有機化合物とのＨＯＭＯ準位の差は０．２ｅＶ以下であり、
前記第３の有機化合物のＨＯＭＯ準位は、前記第２の有機化合物のＨＯＭＯ準位と同じまたは深く、
前記第７の有機化合物は、アントラセン骨格を有する有機化合物であり、
前記第８の物質は、アルカリ金属またはアルカリ土類金属の有機錯体である発光デバイス。
【請求項８】
陽極と、
陰極と、
前記陽極と前記陰極の間に位置するＥＬ層とを有し、
前記ＥＬ層は、陽極側から順に第１の層と、第２の層と、第３の層と、発光層と、第４の層を有し、
前記第１の層は、前記陽極に接しており、
前記第４の層は、前記発光層に接しており、
前記第１の層は、第１の有機化合物と第２の有機化合物を有し、
前記第２の層は、第３の有機化合物を有し、
前記第３の層は、第４の有機化合物を有し、
前記発光層は、第５の有機化合物と第６の有機化合物を有し、
前記第４の層は、第７の有機化合物と第８の物質を有し、
前記第１の有機化合物は前記第２の有機化合物に電子受容性を示す有機化合物であり、
前記第２の有機化合物は、第１の正孔輸送性骨格を有し、
前記第３の有機化合物は、第２の正孔輸送性骨格を有し、
前記第４の有機化合物は、第３の正孔輸送性骨格を有し、
前記第５の有機化合物は発光中心物質であり、
前記第２の有機化合物のＨＯＭＯ準位は−５．７ｅＶ以上−５．４ｅＶ以下であり、
前記第１の正孔輸送性骨格、前記第２の正孔輸送性骨格および前記第３の正孔輸送性骨格は、各々独立に、カルバゾール骨格、ジベンゾフラン骨格、ジベンゾチオフェン骨格およびアントラセン骨格のいずれか一であり、
前記第７の有機化合物は、アントラセン骨格を有する有機化合物であり、
前記第８の物質は、アルカリ金属またはアルカリ土類金属の有機錯体である発光デバイス。
【請求項９】
請求項１乃至請求項８のいずれか一項において、
前記発光デバイスに一定の電流を流した際に得られる発光の輝度変化で表される劣化曲線が極大値を有する発光デバイス。
【請求項１０】
請求項９において、
前記劣化曲線が１００％を超える部分を有する発光デバイス。
【請求項１１】
請求項１乃至請求項１０のいずれか一項において、
前記第７の有機化合物が、アントラセン骨格と複素環骨格とを有する有機化合物である発光デバイス。
【請求項１２】
請求項１乃至請求項１１のいずれか一項において、
前記第７の有機化合物の電子移動度が、前記第６の有機化合物の電子移動度よりも小さい発光デバイス。
【請求項１３】
請求項１乃至請求項１２のいずれか一項において、
前記第４の有機化合物のＨＯＭＯ準位と、前記第３の有機化合物のＨＯＭＯ準位との差が０．２ｅＶ以下である発光デバイス。
【請求項１４】
請求項１乃至請求項１３のいずれか一項において、
前記第４の有機化合物のＨＯＭＯ準位が、前記第３の有機化合物のＨＯＭＯ準位よりも深い発光デバイス。
【請求項１５】
請求項１乃至請求項１４のいずれか一項において、
前記第２の有機化合物が、ジベンゾフラン骨格を有する有機化合物である発光デバイス。
【請求項１６】
請求項１乃至請求項１５のいずれか一項において、
前記第２の有機化合物と前記第３の有機化合物とが同じ物質である発光デバイス。
【請求項１７】
請求項１乃至請求項１６のいずれか一項において、
前記第５の有機化合物が青色蛍光材料である発光デバイス。
【請求項１８】
請求項１乃至請求項１７に記載の発光デバイスと、センサ、操作ボタン、スピーカ、または、マイクと、
を有する電子機器。
【請求項１９】
請求項１乃至請求項１７に記載の発光デバイスと、トランジスタ、または、基板と、を有する発光装置。
【請求項２０】
請求項１乃至請求項１７に記載の発光デバイスと、筐体と、を有する照明装置。